(57)【特許請求の範囲】
【請求項１】
円状台布の片面に、化学繊維製のリボンレースの幅方向の一端が自由端となるように外向きにして重ね、幅方向の他端を基端として渦巻き状に円状台布の外周側から中心に向かって縫合してなる一対の前記円状台布を、
リボンレースが渦巻き状に縫合されていない背面同士を重ねた状態で、一部に開口を残して袋状に縫合形成し、開閉手段無しの開口から物品を出し入れ可能とする構成において、
前記渦巻き状の最初の１周のみ、リボンレースの自由端を中心向きにして基端を前記の円状台布に縫合してから、円状台布の外周をリボンレースと共に中心向きに１８０度反転することによって、円状台布の外周は中心向き、リボンレース自由端は外向きとし、その後はリボンレース自由端を外向きにして渦巻き状に縫合してあり、
背面同士を重ねて縫合する際に、前記のようにして中心向きに反転された部分で、一対の円状台布同士を縫合して袋状に形成してあることを特徴とする装飾袋兼用洗浄具。
【請求項２】
前記開口の両側に手提げ用の取っ手を縫い付けると共に、洗浄に使用する際は、前記の取っ手が邪魔にならないように、前記開口から袋内に挿入して使用可能としたことを特徴とする請求項１に記載の装飾袋兼用洗浄具。
【請求項３】
前記のリボンレースの基端をジグザグ状にかつ３点縫いしてなることを特徴とする請求項１または請求項２に記載の装飾袋兼用洗浄具。
【請求項４】
円状台布の外周側から中心に向かって化学繊維製のリボンレースを渦巻き状に縫合する際の最初の１周のみ、前記リボンレースの幅方向の一端が自由端となるように中心向きにして重ね、幅方向の他端を基端として円状台布に縫合してから、
円状台布の外周をリボンレースと共に中心向きに１８０度反転することによって、円状台布の外周は中心向き、リボンレース自由端は外向きとし、その後はリボンレース自由端を外向きにして渦巻き状に縫合してなる一対の円状台布を、
リボンレースが渦巻き状に縫合されていない背面同士を重ねた状態で、一部に開口を残して、前記のようにして中心向きに反転された部分において一対の円状台布同士を縫合して袋状に形成し、開閉手段無しの開口から物品を出し入れ可能とした装飾袋兼用洗浄具を、
装飾袋として使用した後、前記の開口から洗剤、石鹸又は柔軟剤を挿入した状態で、洗濯機に入れて洗濯物と一緒に攪拌することを特徴とする洗濯方法。
【発明の詳細な説明】
【０００１】
【産業上の利用分野】
本発明は、リボンレースを加工することによって、小物等を入れる袋として利用でき、また食器洗いや洗濯の際の洗浄具としても利用できるレース加工品に関する。
【０００２】
【従来の技術と発明が解決しようとする課題】
本発明の発明者は、在来のスポンジやタワシなどに代わる洗浄用具として、登録実用新案第３０２７２７３号において、円状台布の片面または両面に化学繊維製のリボンレースを渦巻き状に縫合してなる洗浄具を提案した。
【０００３】
このリボンレース製の洗浄具は、洗剤を併用した場合の泡立ちが良いので、少量の洗剤や石鹸で汚れを落とせることや、洗浄後の洗剤の落ちが良いので簡単なすすぎで洗剤や石鹸の切れが良いことが評価されている。ところが、使用している間に、次のような新たな問題が指摘されるようになった。
【０００４】
すなわち、図１（１）のように、リボンレースＲすなわちリボン状に細長いレースの基端Ｒｉを円状台布に渦巻き状に縫合する際に、通常の縫合方法によって破線１のように、１直線状に縫合していくだけでは、リボンレースＲと円状台布との縫合が確実ではなく、その結果、安定性に劣り、型崩れし易かった。また、損傷劣化も早く、寿命が短かった。
【０００５】
これに対し、（２）のように、リボンレースの基端Ｒｉを例えば５ｍｍ程度の間隔で、破線１、２のように、２箇所で縫合すると、縫合強度は増すが、工程が増えるので、生産性が悪い。
【０００６】
また、安定性が劣るため、渦巻き状に円滑に縫い進めることが困難である。すなわち、しわが寄りやすいとか、縫合しても安定性が悪いために、次に縫合する部分の位置合わせが困難であるなど、縫合に熟練を要した。
【０００７】
実際には、フリル状にしてボリーム感を出す目的で、レース基端をタック縫いするが、そのためのタック操作が加わると、縫合操作が一層複雑となるため、前記のような問題が一層顕著となる。
【０００８】
別の問題として、先に提案した洗浄具は、洗浄具専用であり、用途が限られていた。そのため、高価なリボンレースを用い、しかも高度な縫製技術を駆使して製造するにも係わらず、高価で販売することが困難であった。すなわち、洗浄具以外の高級品としての用途が求められる。
【０００９】
洗浄具として用いる場合でも、手に持って使用する用途に限られており、洗濯機での使用は考慮されていなかった。
【００１０】
本発明の技術的課題は、このような問題に着目し、リボンレースを加工してなる用具において、洗浄具としての用途をさらに拡大すると共に、洗浄具以外の高級品としての用途にも適用可能とすることにある。
【００１１】
【課題を解決するための手段】
本発明の技術的課題は次のような手段によって解決される。請求項１は、円状台布の片面に、化学繊維製のリボンレースの幅方向の一端が自由端となるように外向きにして重ね、幅方向の他端を基端として渦巻き状に円状台布の外周側から中心に向かって縫合してなる一対の前記円状台布を、
リボンレースが渦巻き状に縫合されていない背面同士を重ねた状態で、一部に開口を残して袋状に縫合形成し、開閉手段無しの開口から物品を出し入れ可能とする構成において、
前記渦巻き状の最初の１周のみ、リボンレースの自由端を中心向きにして基端を前記の円状台布に縫合してから、円状台布の外周をリボンレースと共に中心向きに１８０度反転することによって、円状台布の外周は中心向き、リボンレース自由端は外向きとし、その後はリボンレース自由端を外向きにして渦巻き状に縫合してあり、
背面同士を重ねて縫合する際に、前記のようにして中心向きに反転された部分で、一対の円状台布同士を縫合して袋状に形成してあることを特徴とする装飾袋兼用洗浄具である。
【００１２】
このように、円状台布の片面に、化学繊維製のリボンレースを、その自由端を外向きにして重ねて、基端を渦巻き状に縫合してなる一対の前記円状台布を、リボンレースが渦巻き状に縫合されていない背面同士を重ねた状態で、一部に開口を残して円状台布の外周同士を縫合して袋状に形成してあるため、縫合せず残した開閉手段無しの開口から物品を出し入れでき、各種の物品を入れる装飾袋として使用できる
【００１３】
例えば、各種の芳香剤を入れたりしてセラピー効果を目的とした用途などに適している。特に、両側がリボンレースを渦巻き状に縫合した美しい形態になっているので、見て美しく、かつ芳香を発するので、相乗的なセラピー効果が果たせる。あるいは、貴金属類や、各自が大事にしている品物などを入れておくのにも適している。
【００１４】
このように両面にリボンレースを渦巻き状に縫合した美しい外観を有し、かつ内部が袋状となっていることで、高級な装飾袋としての用途に向いており、単に洗浄具として使用する場合よりも付加価値が高まる。その結果、高価なリボンレースを使用し、しかも高度の縫製技術を要する装飾袋としても需要が広まり、高価で売れる。
【００１５】
さらに、このような高級で上品な用途に使用し、汚損したりした後は、専用の洗浄具と同様に洗浄用としても使用できるので、多機能な製品となる。洗浄具として使用する場合でも、使い残しの小さくなった固形石鹸等を集めて袋部に入れた状態で洗濯物と一緒に洗濯機に入れると、渦巻き状に何重にも縫合されたリボンレースのメッシュを何度もくり返し洗濯水が通過することによって泡立ちが良く、効果的に洗濯できる。
【００１６】
また、一対の円状台布の背面同士を重ねて外周同士を縫合して袋状に形成し、外周を一部縫合しないで開口にした場合、開口が見えると見苦しいので、美しい高級の装飾袋としては、開口が見えないような美しい仕上がりが求められる。ところが、請求項１のように、最初の１周のみ、リボンレースの自由端を中心向きにして基端を円状台布に縫合してから、円状台布の外周を中心向きに１８０度反転させることで、リボンレース自由端を外向きにしてあるため、開閉手段無しの開口も、円状台布外周とリボンレースとの縫合部も、一対の外向きのリボンレースの間に隠れることになり、外部から見えなくなる。その結果、見苦しい部分が無くなり、高級感を損ねるといった問題が解消される。
【００１７】
請求項２は、前記開口の両側に手提げ用の取っ手を縫い付けると共に、洗浄に使用する際は、前記の取っ手が邪魔にならないように、前記開口から袋内に挿入して使用可能としたことを特徴とする請求項１に記載の装飾袋兼用洗浄具である。
【００１８】
このように、前記開口４の両側に手提げ用の取っ手６を縫い付けてあるので、幼女などのハンドバッグ代用としても利用できる。あるいは、芳香剤などを入れた状態で、トイレその他の壁などのフックに引っ掛けて、使用したりもできる。
前記のように装飾袋として使用した後に洗浄具として使用する際は、洗濯機用としてだけでなく、食器洗い用のタワシ代わりの洗浄具としても使用できることは言うまでもない。或いは、開口４からみかんの皮等を入れて、浴槽に入れたりすることもできる。
このように洗浄に使用する際は、前記の取っ手６は邪魔になるので、開口４から袋内に挿入して使用するのがよい。
【００１９】
請求項３は、前記のリボンレースの基端をジグザグ状にかつ３点縫いしてなることを特徴とする請求項１または請求項２に記載の装飾袋兼用洗浄具である。
このように、前記のリボンレースの基端をジグザグ状にかつ３点縫いしてあるため、円状台布とリボンレースとの縫合が安定よく、確実かつ強固となる。その結果、洗浄具として使用している間に型崩れし難くなり、また損傷劣化も改善され、長寿命となった。したがって、間隔をおいて２箇所で縫合する必要もなく、工数が増えるなどの問題も生じない。
【００２０】
このように、縫合が強固で安定性が増すため、リボンレースを渦巻き状に円滑に縫い進めることが容易となり、しわも寄り難く、次に縫合する部分の位置合わせも容易となるため、熟練者でなくても容易に縫合できる。したがって、レース基端をタック縫いするような複雑な作業も容易に行なえる。
【００２１】
請求項４は、請求項１記載の装飾袋兼用洗浄具の使用方法の発明であって、円状台布の外周側から中心に向かって化学繊維製のリボンレースを渦巻き状に縫合する際の最初の１周のみ、前記リボンレースの幅方向の一端が自由端となるように中心向きにして重ね、幅方向の他端を基端として円状台布に縫合してから、
円状台布の外周をリボンレースと共に中心向きに１８０度反転することによって、円状台布の外周は中心向き、リボンレース自由端は外向きとし、その後はリボンレース自由端を外向きにして渦巻き状に縫合してなる一対の円状台布を、
リボンレースが渦巻き状に縫合されていない背面同士を重ねた状態で、一部に開口を残して、前記のようにして中心向きに反転された部分において一対の円状台布同士を縫合して袋状に形成し、開閉手段無しの開口から物品を出し入れ可能とした装飾袋兼用洗浄具を、
装飾袋として使用した後、前記の開口から洗剤、石鹸又は柔軟剤を挿入した状態で、洗濯機に入れて洗濯物と一緒に攪拌することを特徴とする洗濯方法である。
【００２２】
このように、最初の１周のみ、化学繊維製のリボンレースの自由端を中心向きにして基端を円状台布に縫合してから、円状台布の外周を中心向きに反転させて、リボンレース自由端を外向きにし、その後はリボンレース自由端を外向きにして基端を渦巻き状に縫合してなる一対の前記円状台布の背面同士を重ねた状態で、一部に開口を残して円状台布の外周同士を縫合して袋状に形成し、開閉手段無しの開口から物品を出し入れ可能とした装飾袋兼用洗浄具を用い、この開口から洗剤、石鹸又は柔軟剤を挿入した状態で、洗濯機に入れて洗濯物と一緒に攪拌する洗濯方法によると、前記のように芳香剤や自分の大事な品物などを入れる高級な装飾袋として使用した後の汚損した装飾袋を洗濯に再利用できるので、単一の装飾袋を効率的に使用できる。
【００２３】
また、装飾袋の開閉手段無しの開口から洗剤や石鹸、柔軟剤を挿入した状態で、洗濯機に入れて洗濯物と一緒に攪拌すると、固形石鹸などは容易に溶けだして洗浄力を発揮でき、しかも渦巻き状に縫合されたリボンレースのメッシュを何度もくり返し洗濯水が通過することによって、洗剤の泡立ちがよくなり、洗浄力が一層高まる。加えて、リボンレースが化学繊維製なため、比較的ザラザラした感触を有しているので、洗濯物と接しながら移動することによって、洗濯物の汚れが落ち易くなる。
【００２４】
【実施例】
次に、本発明によるレース加工品と洗濯方法が実際上どのように具体化されるか実施形態を詳述する。図２は、リボンレースの基端をジグザグ状にかつ３点縫いする実施形態を示す図であり、（１）は平面図、（２）は縫い糸に沿った位置の拡大断面図である。
【００２５】
（１）図から明らかなように、リボンレースを渦巻き状に配置した状態で、その基端Ｒｉ上を縫い糸３が、ジグザグ状に走っている。すなわち、縫い糸３は、ジグザグ状に走りながら、全体として渦巻き状に走っている。
【００２６】
しかも、（２）図から明らかなように、ベースになる円状台布Ｂの上面にリボンレースＲ１が、また下面にリボンレースＲ２がそれぞれ重ねられている。そして、ジグザグ状の１ストロークＳの間では、３ピッチずつ縫合されている。すなわち、縫い糸３が、左向きに３ピッチ走ると、次は右に向きを変えて、３ピッチ走り、次は左に向きを変えて３ピッチ走る。こうして、ジグザグ状の動きを繰り返しながら、全体としては渦巻き状に走る。
【００２７】
また、１ストロークＳの間では、１ピッチＰごとに、縫い糸３が円状台布Ｂとその上下のリボンレースＲ１、Ｒ２を貫通し、次いで１ピッチ走ってから、円状台布Ｂとその上下のリボンレースＲ１、Ｒ２を貫通する、という動きを繰り返す。したがって、１ストロークＳの間では、縫い糸３が３ピッチ走り、しかも３点で円状台布Ｂとその上下のリボンレースＲ１、Ｒ２を貫通しているので、３点縫いと呼ぶことにする。
【００２８】
このように、縫い糸３が、円状台布Ｂの上下両面に、リボンレースＲ１、Ｒ２の自由端Ｒｏを外向きにして重ねた状態で、リボンレース基端Ｒｉをジグザグ状にかつ３点縫いすることによって、図２（１）のように、基端Ｒｉの領域において、縫い糸３が内側Ｉと外側IIとの間をジグザグ状に行ったり来たりするので、リボンレースＲ１、Ｒ２の基端Ｒｉの縫い代の領域が円状台布Ｂに確実かつ強固に縫い付けられる。また、縫い代における内側Ｉと外側IIとの間でも、３点ごとに縫い付けられることになるので、より確実かつ強固に縫合されることになる。
【００２９】
なお、実際にはリボン基端Ｒｉをタック縫いしているので、外端Ｒｏは図３のようなフリル状になる。
【００３０】
図３は完成した洗浄具の平面図であり、リボンレースＲ１が渦巻き状にしかもタック縫いで縫合されている。図４は図３のＡ−Ａ断面図であり、円状台布Ｂの上下両面にリボンレースＲ１、Ｒ２の基端Ｒｉがタック縫いされている。すなわち、上下のリボンレースＲ１、Ｒ２の基端Ｒｉを渦巻き状に円状台布Ｂに縫い付けながら、円状台布の外周から中心まで、渦巻き状に縫い付けられている。
【００３１】
図４から明らかなように、リボンレースの基端Ｒｉの縫い糸３による縫い付け部が見えると見苦しいので、縫い糸３で縫い付けられた基端Ｒｉの上に１周内側のリボンレースの自由端Ｒｏ側が重なるように、リボンレースの半径方向の間隔をリボンレースの幅より小さくすることが肝要である。
【００３２】
リボンレース基端Ｒｉを渦巻き状に縫い進めるには、円状台布Ｂの外周側から中心に向かって縫う方法と、逆に中心から外周に向けて縫う方法がある。しかしながら、前記のように、綺麗に見せるには、リボンレースの自由端Ｒｏの下側に外側のリボンレースの基端Ｒｉが隠れる必要があるので、リボンレース基端Ｒｉを円状台布Ｂの中心側から外周に向けて縫い進めると、内側のリボンレースの自由端Ｒｏが邪魔になるので、その下側の外側のリボンレース基端Ｒｉを縫うことが困難であり、高度の技術を要する。
【００３３】
したがって、円状台布Ｂの外周を１周分だけ縫合してから、円状台布Ｂの中心に向かって渦巻き状に縫い進めることが美しく仕上がる。すなわち、外側のリボンレース基端Ｒｉを縫い付けた後、その上に内側のリボンレースの自由端Ｒｏが重なっていることを確認しながら、縫い進めると、スムーズに縫製を進めることができ、しかも美しい仕上がりとなる。
【００３４】
図４の実施形態は、渦巻き状のリボンレースのボリューム感を出すために、円状台布Ｂの両面にリボンレースを重ねて縫合してある。洗浄具として使用する際の洗浄機能を高めたり、洗剤の泡立ちを良くするためにも、両面にリボンレースを縫合した方が良い。しかしながら、ボリューム感を要しない場合や洗浄機能や泡立ち機能を犠牲にしてもよい場合は、片面だけでも足りる。また、袋状に形成する場合は、片面だけの方が製造し易い。
【００３５】
図５は、袋と洗浄具に兼用できる実施形態の断面図である。この図から明らかなように、円状台布Ｂの片面だけにリボンレースを渦巻き状に重ねて縫合してなる１対の片面洗浄具を背中合わせにして重ねてある。そして、円状台布Ｂ１、Ｂ２の外周部のみ円状に縫合してある。ただし、物品の出し入れのための開口４を形成するために、一部分だけ、縫合しないで残してある。
【００３６】
図６は、袋状に形成したレース加工品即ちリボンレース袋の平面図であり、開口部４において、上側の円状台布Ｂ１のみを上側にめくって、開口４を露出させた状態である。図７は、１対の円状台布Ｂ１、Ｂ２の外周部のみを縫合してある状態を示す平面図である。破線５が、外周部のみを縫合してある位置であり、途切れている部分４が開口であり、縫合しないで一部残してある領域である。
【００３７】
こうして図５のように、外面にリボンレースを渦巻き状に縫い付けてなる１対の円状台布Ｂ１、Ｂ２で袋状に形成してあると、綺麗な物入れとして利用できる。すなわち、開口部４から、芳香剤を入れると、円状台布やリボンレースを通過して芳香が漂うので、リボンレース製袋の美しさに加えて、芳香を発することにより、セラピー効果を奏する。芳香剤を入れて、車内などに放置しておいても、袋の外観が美しいので、車内を華やいだ雰囲気にでき、装飾効果も満点である。
【００３８】
円状台布Ｂ１、Ｂ２と上下両面の渦巻き状のリボンレースＲ１、Ｒ２に、芳香がしみ込んでいるので、芳香剤が消失した後も、しばらくは芳香を漂わせる。また、表裏のリボンレースＲ１、Ｒ２が渦巻き状に形成されていることで、ボリュームがあり、表面積も大きいので、芳香を方々に発散させる効果があり、部屋中に短時間にかつ効果的に芳香を満たすことができる。あるいは、枕の下や付近に置いておくと、セラピー作用によって安眠を誘う効果も期待できる。
【００３９】
その結果、香りのする植物の葉や皮やスライス片や各種のハーブなどを入れて芳香を発するように利用したり、用途は無限である。なお、内部に挿入する芳香材が粉状をしていて円状台布を通過するような場合は、一旦不織布などの袋に入れてから、本発明のリボンレース袋に入れるのがよい。したがって、円状台布Ｂは、その中に入れる品物の形態や使用目的に応じて、通常の布にしたり、メッシュになったレースを使用したり、あるいは不織布を用いたりもできる。
【００４０】
しかも、図６のように開口４の両側に手提げ用の取っ手６を縫い付けると、幼女などのハンドバッグ代用としても利用できる。あるいは、芳香剤などを入れた状態で、トイレその他の壁などのフックに引っ掛けて、使用したりもできる。
【００４１】
袋として使用している間に汚損すると、その後に洗浄具として利用する。その結果、一つのリボンレース袋を２度使用できることになり、効率的に利用できる。すなわち、前記のリボンレース袋を使用し、その開口４から洗剤や柔軟剤等の各種処理剤を挿入した状態で、洗濯機に入れて洗濯物と一緒に攪拌することによって、リボンレース袋が洗濯機の内部で攪拌されることによって、洗剤がリボンレース袋の円状台布やリボンレースの無数のメッシュを何度も通過するため、泡立ちが良くなる。あるいは、処理剤が円滑に洗濯物に浸透する。
【００４２】
なお、開口４から、みかんの皮等を入れて、浴槽に入れたりすることもできる。
【００４３】
前記のように装飾袋として使用した後に洗浄具として使用する際は、洗濯機用としてだけでなく、食器洗い用のタワシ代わりの洗浄具としても使用できることは言うまでもない。このように、洗浄に使用する際は、前記の取っ手６は邪魔になるので、開口４から袋内に挿入して使用するのがよい。
【００４４】
図８はリボンレース袋を形成する場合の別の実施形態であり、（１）のように、円状台布Ｂの外周の１周のみ、リボンレースＲの自由端Ｒｏを中心向きにして基端Ｒｉを円状台布Ｂに縫合していく。そして、１周分だけ縫合した後、リボンレースＲを１８０度反転して、（２）図のように自由端Ｒｏを外向きする。すなわち、円状台布Ｂの外周部において、リボンレースＲが、内向き状態から外側に向いた状態に反転する。
【００４５】
こうして、中心向きのリボンレースを外向きにした状態で、その後のリボンレースを外向き状態で渦巻き状に中心に向けて縫合していく。このようにして、最外周のみ、中心向きのリボンレースを外向きにした状態の１対の円状台布を背中合わせにして、図５のように、開口４を残して、外周位置５を縫合すると、この縫合の際に、外周の外向きに反転されたリボンレースの基端Ｒｉ同士が縫合されるので、台布外周の外向きに反転されたリボンレースは、糸５で外向き状態に確実に固定される。なお、このように１対の円状台布同士を縫合する際には、図５のように前記の外周１周分のリボンレースの縫合基端Ｒｉは、袋の内部に収まり、外部から見えないようにすることはもちろんである。
【００４６】
このように、外周１周分のリボンレースの縫合基端Ｒｉが袋の内部に位置し、隠れるため、外部からは見えない。したがって、開口４が有り、かつ最も目立つ外周部分において、縫合基端Ｒｉが袋の中に隠れるので、装飾効果を狙ったリボンレース袋の美観を損ねることはない。
【００４７】
【発明の効果】
請求項１のように、円状台布の片面に、化学繊維製のリボンレースを、その自由端を外向きにして重ねて、基端を渦巻き状に縫合してなる一対の前記円状台布を、リボンレースが渦巻き状に縫合されていない背面同士を重ねた状態で、一部に開口を残して円状台布の外周同士を縫合して袋状に形成してあるため、縫合せず残した開閉手段無しの開口から物品を出し入れでき、各種の物品を入れる装飾袋として使用できる
【００４８】
例えば、各種の芳香剤を入れたりしてセラピー効果を目的とした用途などに適している。特に、両側がリボンレースを渦巻き状に縫合した美しい形態になっているので、見て美しく、かつ芳香を発するので、相乗的なセラピー効果が果たせる。あるいは、貴金属類や、各自が大事にしている品物などを入れておくのにも適している。
【００４９】
このように両面にリボンレースを渦巻き状に縫合した美しい外観を有し、かつ内部が袋状となっていることで、高級な装飾袋としての用途に向いており、単に洗浄具として使用する場合よりも付加価値が高まる。その結果、高価なリボンレースを使用し、しかも高度の縫製技術を要する装飾袋としても需要が広まり、高価で売れる。
【００５０】
さらに、このような高級で上品な用途に使用し、汚損したりした後は、専用の洗浄具と同様に洗浄用としても使用できるので、多機能な製品となる。洗浄具として使用する場合でも、使い残しの小さくなった固形石鹸等を集めて袋部に入れた状態で洗濯物と一緒に洗濯機に入れると、渦巻き状に何重にも縫合されたリボンレースのメッシュを何度もくり返し洗濯水が通過することによって泡立ちが良く、効果的に洗濯できる。
【００５１】
また、一対の円状台布の背面同士を重ねて外周同士を縫合して袋状に形成し、外周を一部縫合しないで開口にした場合、開口が見えると見苦しいので、美しい高級の装飾袋としては、開口が見えないような美しい仕上がりが求められる。ところが、請求項１のように、最初の１周のみ、リボンレースの自由端を中心向きにして基端を円状台布に縫合してから、円状台布の外周を中心向きに１８０度反転させることで、リボンレース自由端を外向きにしてあるため、開閉手段無しの開口も、円状台布外周とリボンレースとの縫合部も、一対の外向きのリボンレースの間に隠れることになり、外部から見えなくなる。その結果、見苦しい部分が無くなり、高級感を損ねるといった問題が解消される。
【００５２】
請求項２のように、前記開口４の両側に手提げ用の取っ手６を縫い付けてあるので、幼女などのハンドバッグ代用としても利用できる。あるいは、芳香剤などを入れた状態で、トイレその他の壁などのフックに引っ掛けて、使用したりもできる。
前記のように装飾袋として使用した後に洗浄具として使用する際は、洗濯機用としてだけでなく、食器洗い用のタワシ代わりの洗浄具としても使用できることは言うまでもない。或いは、開口４からみかんの皮等を入れて、浴槽に入れたりすることもできる。
このように洗浄に使用する際は、前記の取っ手６は邪魔になるので、開口４から袋内に挿入して使用するのがよい。
【００５３】
請求項３のように、前記のリボンレースの基端をジグザグ状にかつ３点縫いしてあるため、円状台布とリボンレースとの縫合が安定よく、確実かつ強固となる。その結果、洗浄具として使用している間に型崩れし難くなり、また損傷劣化も改善され、長寿命となった。したがって、間隔をおいて２箇所で縫合する必要もなく、工数が増えるなどの問題も生じない。
【００５４】
縫合が強固で安定性が増すため、リボンレースを渦巻き状に円滑に縫い進めることが容易となり、しわも寄り難く、次に縫合する部分の位置合わせも容易となるため、熟練者でなくても容易に縫合できる。したがって、レース基端をタック縫いするような複雑な作業も容易に行なえる。
【００５５】
請求項４のように、最初の１周のみ、化学繊維製のリボンレースの自由端を中心向きにして基端を円状台布に縫合してから、円状台布の外周を袋内側に反転させて、リボンレース自由端を外向きにし、その後はリボンレース自由端を外向きにして基端を渦巻き状に縫合してなる一対の前記円状台布の背面同士を重ねた状態で、一部に開口を残して円状台布の外周同士を縫合して袋状に形成し、開閉手段無しの開口から物品を出し入れ可能とした装飾袋兼用洗浄具を用い、この開口から洗剤、石鹸又は柔軟剤を挿入した状態で、洗濯機に入れて洗濯物と一緒に攪拌する洗濯方法によると、前記のように芳香剤や自分の大事な品物などを入れる高級な装飾袋として使用した後の汚損した装飾袋を洗濯に再利用できるので、単一の装飾袋を効率的に使用できる。
【００５６】
また、装飾袋の開閉手段無しの開口から洗剤や石鹸、柔軟剤を挿入した状態で、洗濯機に入れて洗濯物と一緒に攪拌すると、固形石鹸などは容易に溶けだして洗浄力を発揮でき、しかも渦巻き状に縫合されたリボンレースのメッシュを何度もくり返し洗濯水が通過することによって、洗剤の泡立ちがよくなり、洗浄力が一層高まる。加えて、リボンレースが化学繊維製なため、比較的ザラザラした感触を有しているので、洗濯物と接しながら移動することによって、洗濯物の汚れが落ち易くなる。
【図面の簡単な説明】
【図１】従来のリボンレースの円状台布への縫合状態を示す平面図であり、一部分だけを表示してある。
【図２】リボンレースの基端をジグザグ状に３点縫いする実施形態を示す図で、（１）は平面図、（２）は縫い糸に沿った位置の拡大断面図である。
【図３】完成した洗浄具の平面図である。
【図４】図３のＡ−Ａ位置の断面図である。
【図５】袋と洗浄具に兼用できる実施形態の断面図である。
【図６】袋状に形成したレース加工品の平面図である。
【図７】１対の円状台布の外周部のみを縫合する際の縫合位置を示す平面図である。
【図８】袋用の円状台布の外周部におけるリボンレースの縫合状態を示す図であり、（１）は反転前、（２）は反転後である。
【符号の説明】
Ｒ  リボンレース
Ｒ１  上側のリボンレース
Ｒ２  下側のリボンレース
Ｒｉ  リボンレースの基端
Ｒｏ  リボンレースの自由端
Ｂ、Ｂ１、Ｂ２  円状台布
３  縫い糸
Ｓ  ジグザグ状のストローク
Ｐ  縫い糸のピッチ
４  開口
５  一対の円状台布同士の縫合位置
６  取っ手
【図１】
0004267849.tif 000002
【図２】
0004267849.tif 000003
【図３】
0004267849.tif 000004
【図４】
0004267849.tif 000005
【図５】
0004267849.tif 000006
【図６】
0004267849.tif 000007
【図７】
0004267849.tif 000008
【図８】
0004267849.tif 000009